(57)【要約】【課題】検体入り試験管の輸送保管に必要な情報を無線タグに記憶させておき、この無線タグの記憶情報を無線通信によって読み取ることができ、また無線タグに検体の再検査有無情報等の必要な情報を後で書き込むこともできる試験管ラックを提供することにある。【解決手段】検体入りの試験管６を所要本数収容して輸送保管する試験管ラックにおいて、該ラック本体１に検体入り試験管６の輸送保管に必要な情報を記憶させておく読取り書込み可能な無線タグ７を設け、この無線タグ７の記憶情報を送受信可能なアンテナユニット８を使用して、必要な時に読み書きできるようにしたことを特徴とする。【選択図】図１
2006058219.tif 000002
【特許請求の範囲】
【請求項１】
検体入りの試験管を所要本数収容して輸送保管する試験管ラックにおいて、該ラック本体に検体入り試験管の輸送保管に必要な情報を記憶させておく読取り書込み可能な無線タグを設け、この無線タグの記憶情報を送受信可能なアンテナユニットを使用して、必要な時に読み書きできるようにしたことを特徴とする試験管ラック。
【請求項２】
前記無線タグの記憶情報がラック認証番号と検体の生化学分析、凝固分析、尿分析等の検査情報であり、前記無線タグにアンテナユニットを使用して後で書込む情報が検体の再検査有無情報であることを特徴とする請求項１記載の試験管ラック。
【発明の詳細な説明】
【技術分野】
【０００１】
この発明は、血液等の検体入りの試験管を所要本数収容して輸送保管する試験管ラックに関する。
【背景技術】
【０００２】
従来、血液等の検体入りの試験管を所要本数収容する試験管挿入立設孔を開設したラック本体を備え、このラック本体の適当な箇所に検体入り試験管の輸送保管に必要な情報をバーコード印刷したバーコードラベルを貼付してなる試験管ラックは知られている。
【発明の開示】
【発明が解決しようとする課題】
【０００３】
しかし、前記従来の試験管ラックでは、ラベル印刷のバーコードをバーコードリーダーでその都度読み取らなければならず、バーコード読み取り箇所が複数箇所ある場合には複数台のバーコードリーダーが必要になり設備費が高価になる問題がある。
【０００４】
また、前記のようなバーコードラベルでは検体の再検査等の後情報をラック輸送途中等において書き入れることはできず、検体入り試験管の輸送保管に必要な情報はラベル印刷したものに限定されてしまう問題があった。
【０００５】
この発明は前記課題を解決するためになされたもので、その目的とするところは、検体入り試験管の輸送保管に必要な情報を無線タグに記憶させておき、この無線タグの記憶情報を無線通信によって読み取ることができ、また前記無線タグに検体の再検査有無情報等の必要な情報を後で書き込むこともできる試験管ラックを提供することにある。
【課題を解決するための手段】
【０００６】
この発明は、前記の目的を達成するために、請求項１は、検体入りの試験管を所要本数収容して輸送保管する試験管ラックにおいて、該ラック本体に検体入り試験管の輸送保管に必要な情報を記憶させておく読取り書込み可能な無線タグを設け、この無線タグの記憶情報を送受信可能なアンテナユニットを使用して、必要な時に読み書きできるようにしたことを特徴とする。
【０００７】
請求項２は前記無線タグの記憶情報をラック認証番号と検体の生化学分析、凝固分析、尿分析等の検査情報とし、前記無線タグにアンテナユニットを使用して後で書込む情報を検体の再検査有無情報としたことを特徴とする。
【発明の効果】
【０００８】
請求項１及び２の試験管ラックによれば、検体入り試験管の輸送保管に必要な情報（ラック認証番号と検体の生化学分析、凝固分析、尿分析等の検査情報）を無線タグに記憶させておき、この無線タグの記憶情報をラック位置等に制約されずに無線通信で簡単に読み取ることができ、この読取り装置を従来のバーコーダリーダーのように読取り箇所全部に設置する必要がなく、それだけ設備費の低減を図ることができる。また、従来のバーコーダリーダーと違って無線タグに検体の再検査有無情報等の必要な情報を後で書き込んで管理することもできるという効果を奏する。
【発明を実施するための最良の形態】
【０００９】
以下、この発明の実施の形態を図面に従い具体的に説明する。図１はこの発明の試験管ラックを無線通信装置と関連付けて示した斜視図、図２は同ラック本体に設けられる無線タグの構成説明図である。
【００１０】
図中１は天板２と中板３と底板４を適宜の間隔を存して複数本の繋ぎ杆５で連結した構成のラック本体で、このラック本体１の天板２と中板３には血液や尿等の検体入りの試験管６を所要本数（図示例は２１本を例示しているが、５〜１０００本の範囲内で適当に設定される）入れるための試験管挿入立設孔６ａが設けられている。
【００１１】
７は、前記ラック本体１の適当な箇所（例えば天板２の隅角部）に組み込んで又は貼り付けて設けた読取り書込み可能な無線タグで、この無線タグ７には検体入り試験管６の輸送保管に必要な情報として、「０００１」というようなラック認証番号と、検体の生化学分析、凝固分析、尿分析等の検査情報とを記憶させておき、この無線タグ７の記憶情報を送受信可能なアンテナユニット８を使用して、必要な時に読み書きできるように構成している。
【００１２】
なお、前記無線タグ７にアンテナユニット８を使用して後で書込む情報は、検体の再検査有無の情報であり、アンテナユニット８にリーダ／ライタというイントロゲータ９を介して電気接続されるコンピュータ１０で入力し、アンテナユニット８から発信して無線タグ７に書き込まれる。
【００１３】
前記アンテナユニット８は無線タグ７に対し電波の受け渡しを行う装置であり、前記イントロゲータ９は無線タグ７との交信制御および上位機器と無線タグ７間のプロトコル交換を行う装置である。
【００１４】
前記無線タグ７は、送受信部１１と復調回路１２と変調回路１３と制御部１４とメモリ１５を含んで構成される。これらの回路は送受信部１１を構成するＩＣ共振回路を除いてＡＳＩＣ化されており、樹脂モールドにより封止され、耐薬品性と高温保存性が確保されている。
【００１５】
前記送受信部１１はアンテナユニット８から出力された信号を受信したり、これと同一周波数の信号をアンテナユニット８に送信するものである。また、前記復調回路１２は送受信部１１から出力された信号を復調し、検体検査情報を構成するデータを復調するものである。前記制御部１４は復調回路１２から出力されたデータをメモリ１５に書き込むと共に、メモリ１５に記録されたデータを読み出し、変調回路１３に与えるものである。
【００１６】
前記メモリ１５は検体検査情報を保持するメモリであり、例えばＥＥＰＲＯＭにより構成される。前記変調回路１３は制御部１４から得られたデータに基づいて、パルス信号に変換し、送受信部１１に与えるものである。
【００１７】
送受信部１１はパルス信号をアンテナユニット８に送信すると共に、搬送波信号を整流することにより、メモリ１５を含む各回路部に電力を供給する。ここで、送受信部１１と復調回路１２と変調回路１３は、電磁結合により外部から与えられたデータを受信して制御部１４に与え、制御部１４を介してメモリ１５から読み出されたデータを電磁波を用いて外部に送信するデータ伝送手段を構成している。
【００１８】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００１９】
【図１】この発明の試験管ラックを無線通信装置と関連付けて示した斜視図。
【図２】同ラック本体に設けられる無線タグの構成説明図。
【符号の説明】
【００２０】
１…ラック本体、６…検体入りの試験管、６ａ…試験管挿入立設孔、７…無線タグ、
８…アンテナユニット。
【図１】
2006058219.tif 000003
【図２】
2006058219.tif 000004